(57)【要約】【課題】給電される電気部品を具備した可動体の移動に支障がなく、省スペースでも配線接続が行える遊技機の配線処理構造を提供する。【解決手段】接続配線２１の中途位置に連結して該接続配線２１を所定方向へ付勢する引っ張りばね３２が、可動体２０の変位にともなう接続配線２１の移動を規制する。【選択図】図２
2009213675.tif 000002
【特許請求の範囲】
【請求項１】
遊技機の所定箇所に設けられ、給電される電気部品を具備し駆動源によって所定範囲で変位する可動体と、
前記電気部品に接続して給電する接続配線と、
前記接続配線の中途位置に連結して該接続配線を所定方向へ付勢する付勢手段と、を備え、
前記付勢手段は、前記可動体の変位にともなう前記接続配線の移動を規制する遊技機の配線処理構造。
【請求項２】
前記可動体の変位にともなう前記接続配線の移動方向をガイドするガイド部が設けられている請求項１記載の遊技機の配線処理構造。
【請求項３】
前記可動体は前記ガイド部に近づいた近傍位置と前記ガイド部から離れた離隔位置との間を変位可能であり、前記可動体が前記近傍位置から前記離隔位置へ変位する際に前記付勢手段の付勢に抗して前記接続配線が前記ガイド部にガイドされて引き出され、前記離隔位置から前記近傍位置へ変位する際に前記付勢手段の付勢に伴って該付勢手段と連結する前記接続配線の連結部が引っ張られて、前記引き出された接続配線がガイド部により移動を規制される請求項１又は請求項２記載の遊技機の配線処理構造。
【請求項４】
前記可動体に接続する接続配線の配線余裕分が収容される配線収容部が設けられ、前記可動体が前記近傍位置にあるとき、前記付勢手段の付勢に抗して引き出される前記接続配線の配線余裕分が、前記配線収容部に収容されている請求項３記載の遊技機の配線処理構造。
【請求項５】
前記付勢手段は前記配線収容部内に取り付けられている請求項４記載の遊技機の配線処理構造。
【請求項６】
遊技領域内において遊技状態に応じて変位可能に設けられる可動体に請求項１乃至５のいずれか１項に記載の配線処理構造を備えた遊技機用役物。
【発明の詳細な説明】
【技術分野】
【０００１】
本発明は、遊技機の配線処理構造及びこれを備えた遊技機用役物に関する。
【背景技術】
【０００２】
パチンコ機などの遊技機には、外枠に対して開閉可能に設けられた内枠に遊技盤が着脱可能に組み付けられている。内枠には前面枠が開閉可能に設けられている。
【０００３】
遊技盤の遊技領域においては、可変表示装置（液晶表示装置）の周囲に様々な役物が設けられている。例えば遊技状態に応じて発光する可動体が遊技領域内で移動することで視覚的に変化をもたせて遊技者の注目を引くことで演出効果を高めた様々な遊技機用役物が提案されている。具体的には、表示状態が変化する可変表示装置のほかに位置変化する補助表示装置が設けられていたり（特許文献１）、発光手段を備えた第一可動装飾体に連繋する第一昇降部材と発光手段を備えた第二可動装飾体に連繋する第二昇降部材とが各々昇降することによって、発光する第一，第二可動装飾体が開閉動作したりするようになっている（特許文献２）。
【０００４】
上述した補助表示装置や昇降部材などの可動体には発光手段が設けられており、該発光手段へ給電するケーブルが配線接続されている。可動体の移動に伴って発光手段に接続するケーブルが屈伸するようになっているが、該ケーブルが撓んで可動体と干渉したり他の部材と接触して擦れたりするのを避けるため、様々な配線処理が施されている。
【０００５】
例えば、ケーブルを保持するケーブル保持機構がケーブルの屈伸に応じて可動するようになっている。ケーブルが撓んでくるとケーブル保持機構が回動軸を中心に所定方向へ回転するか或いはケーブルの途中を保持するケーブル保持部材がガイドレールに沿ってスライドしてケーブルの余裕分を逃がすようになっている（特許文献１）。
また、第一，第二昇降部材が最も下降した位置で配線コードが弛まないように配線バンドにより固定することで、その後の第一，第二昇降部材の変位により配線コードが撓んで第一，第二昇降部材の移動の妨げとならないようになっている（特許文献２）。
【特許文献１】特開２００５−５８２５７号公報
【特許文献２】特開２００７−１７５１７４号公報
【発明の開示】
【発明が解決しようとする課題】
【０００６】
しかしながら、上述した特許文献１の配線処理構造は、可動体の移動に伴うケーブルの屈伸に応じてケーブル保持機構が回転したりケーブル保持部材がスライドしたりするので、ケーブルに対して大きな負荷となる。また、常時ケーブルと保持機構等が接触している状態にあるので、ケーブルが擦れて被膜が剥がれ易く、ケーブルが曲げられ、断線する。
【０００７】
また、特許文献２の配線処理構造は、配線コードの先端側が第一昇降部材又は第二昇降部材と保持手段によって保持されたまま垂れ下がった状態で昇降するため、可動体が一旦上昇位置へ移動した後、再度下降位置へ戻る際に配線コードの途中に設けられている配線バンド（配線保持手段）が元の位置（移動前の位置）に戻るという保証はない。
【０００８】
本発明の目的は、給電される電気部品を具備した可動体の移動に支障がなく、省スペースでも配線の処理が確実に行える遊技機の配線処理構造及びこれを備えた遊技機用役物を提供することにある。
【課題を解決するための手段】
【０００９】
本発明は上記目的を達成するため、次の構成を備えることを特徴とする。
遊技機の所定箇所に設けられ、給電される電気部品を具備し駆動源によって所定範囲で変位する可動体と、前記電気部品に接続して給電する接続配線と、前記接続配線の中途位置に連結して該接続配線を所定方向へ付勢する付勢手段と、を備え、前記付勢手段は、前記可動体の変位にともなう前記接続配線の移動を規制することを特徴とする。尚、電気部品には電子部品を実装した回路基板、モータ、ソレノイドなど給電することにより作動する部品を含むものとする。
【００１０】
また、前記可動体の変位にともなう前記接続配線の移動方向をガイドするガイド部が設けられていることを特徴とする。
【００１１】
また、前記可動体は前記ガイド部に近づいた近傍位置と前記ガイド部から離れた離隔位置との間を変位可能であり、前記可動体が前記近傍位置から前記離隔位置へ変位する際に前記付勢手段の付勢に抗して前記接続配線が前記ガイド部にガイドされて引き出され、前記離隔位置から前記近傍位置へ変位する際に前記付勢手段の付勢に伴って該付勢手段と連結する前記接続配線の連結部が引っ張られて、前記引き出された接続配線がガイド部により移動を規制されるようになっていることを特徴とする。
【００１２】
また、前記可動体に接続する接続配線の配線余裕分が収容される配線収容部が設けられ、前記可動体が前記近傍位置にあるとき、前記付勢手段の付勢に抗して引き出される前記接続配線の配線余裕分が、前記配線収容部に収容されていることを特徴とする。
【００１３】
また、前記付勢手段は前記配線収容部内に取り付けられていることを特徴とする。
【００１４】
遊技機用役物においては、遊技領域内において遊技状態に応じて変位可能に設けられる可動体に上述したいずれかの配線処理構造を備えていることを特徴とする。
また、遊技機においては、遊技領域内に上記遊技機用役物を備えていることを特徴とする。
【発明の効果】
【００１５】
上述した遊技機の配線処理構造を用いれば、付勢手段が接続配線の中途位置に連結して該接続配線を常時所定方向へ付勢しているので、可動体の変位にともなう接続配線の撓みの発生を規制して所定方向へ確実に誘導することができる。
【００１６】
また、可動体の変位にともなう接続配線の移動方向をガイドするガイド部が設けられているので、接続配線が撓んだり絡まったり他の部材と擦れたりすることがなくなる。
【００１７】
また、可動体がいずれの位置へ変位しても接続配線が撓んだり絡みあったりすることがなく、特にガイド部に対して離隔位置から近傍位置へ変位する際に接続配線の連結部が引っ張られて引き出された接続配線がガイド部により移動を規制されるので、接続配線が可動体と干渉するおそれはなく狭い配線スペースを利用して可動体へ配線することができる。また、接続配線がガイド部に規制されているので、付勢手段の付勢方向が定まり易く、付勢力を確実に接続配線に伝えることができる。
【００１８】
また、可動体がガイド部の近傍位置にあるとき、付勢手段の付勢に抗して引き出された接続配線が配線収容部内へ確実かつコンパクトに収容されるので、省スペースで可動体へ配線することができる。
更には付勢手段が配線収容部内に取り付けられていると、付勢手段の付勢に抗して引き出された配線余裕分を確実に配線収容部内へ引き込むことができる。
【００１９】
遊技機用役物においては、遊技領域内において遊技状態に応じて変位可能に設けられる可動体に給電する接続配線に上記配線処理構造を用いることにより、可動体に対する配線スペースが少なくても設置できるので、設計レイアウトの自由度が広がり、遊技者の興趣が尽きない多彩な演出を行なうことができる。
【発明を実施するための最良の形態】
【００２０】
以下、本発明の実施形態について図面を参照しながら具体的に説明する。
図１を参照して本実施形態に係る遊技機の概略構成について説明する。本実施形態では遊技機の一例としてパチンコ機を例示して説明するものとする。遊技機１は、外枠２と遊技盤３が設けられた内枠（図示せず）と、該内枠を覆う前面枠４を備えている。図示しない内枠は、ヒンジ５により外枠２に対して開閉可能に取り付けられている。また前面枠４は内枠に対して開閉可能に取り付けられている（ヒンジ部図示せず）。前面枠４の中央部には遊技者が遊技盤３を透視できる窓部６が設けられている。該窓部６の周囲には装飾部７ａやスピーカー７ｂなどが設けられる。
【００２１】
また、前面枠４の窓部６の下方には貸球や賞球を貯留し図示しない発射装置へ球を誘導する上球受け皿９ａが設けられ、その下方に上球受け皿９ａの余剰球を貯留する下球受け皿９ｂ、下球受け皿９ｂの左側にタバコの吸殻を収容する灰皿１０、下球受け皿９ｂの右側に遊技盤３に遊技球を打ち出すためのハンドル１１が各々設けられている。
【００２２】
遊技盤３の遊技領域内には、中央部に図柄表示装置（液晶表示装置）８を備えたセンター役物１２が設けられ、その周囲には図示しない釘、スルーチャッカー１３、風車１４、電動チューリップ１５、アタッカー１６、レール１７、サイドランプ１８などの盤面部品やアウトロ１９などが設けられている。
【００２３】
センター役物１２の構造物には、図柄表示装置８が配置される前方空間部Ｓに遊技状態に応じて可動体２０が収納位置から視認可能な表示位置へ移動可能に設けられている。可動体２０には後述する電気部品が設けられており該電気部品に給電する接続配線２１が接続されている。
【００２４】
図２において、可動体２０には回動アーム２２が所定範囲で回動（正逆いずれの方向にも回転）可能に設けられている。この回動アーム２２の先端側に電子部品（ＬＥＤ２３など）を実装した回路基板２４や図示しない電気部品（モータ、ソレノイドなど）が設けられる。
【００２５】
図３（ａ）（ｂ）において、駆動源である電動モータ２５を起動するとモータギア２６を介してアームギア２７へ駆動伝達される、回動アーム２２は、アームギア２７の回転軸と同軸上に軸支され所定範囲内で回動可能に設けられている。電動モータ２５を正逆回転駆動することで、回動アーム２２は図３（ａ）の可動体収納位置（近傍位置）と図３（ｂ）の可動体動作位置（離隔位置）との間を往復動するようになっている。
【００２６】
図３（ａ）（ｂ）に示すように、回動アーム２２にはガイドピン２２ａが突設されており、このガイドピン２２ａと配線収容フレーム２８に設けられた円弧状スリット２９により回動アームの回動範囲を規制している。即ち、回動アーム２２はガイドピン２２ａがスリット２９に嵌り込んだまま当該スリット２９の端部に突き当たるまで移動し、可動体２０を空間部Ｓ内において所定範囲で変位させる。また、フォトセンサ等を用いてモータの回転角度を検知し、パルス制御により可動体２０を所定の範囲で変位させてもよい。
【００２７】
図２において、回路基板２４にはＬＥＤ２３に給電する接続配線２１がコネクタ３０により接続されている。接続配線２１は、回動アーム２２に設けられた配線ガイド３１に案内されて配線収容フレーム２８（配線収容部）へ導かれている。配線収容フレーム２８は図２を平面視して後方側が開口するコ字状をしており、その内部にはコイルばね３２（付勢手段）が上端を固定されて取り付けられている。また、コイルばね３２の下端は接続配線２１の中途位置に連結して該接続配線２１を上方向へ（開口端より内方へ）常時付勢している。コイルばね３２は、可動体２０の変位にともなう接続配線２１の移動を規制するようになっている。即ち、可動体２０の変位にともなう接続配線２１の撓みの発生を規制して配線収容フレーム２８に向かって接続配線２１を確実に引き込むようになっている。言い換えれば、可動体２０の変位位置によって、引き出される接続配線２１の長さを調節（制御）している。
【００２８】
また、配線収容フレーム２８の下端開口部には、可動体２０の変位にともなう接続配線２１の移動方向をガイドするガイド部３３が設けられている。ガイド部３３は接続配線２１の移動をガイドし、可動体２０の変位によって引き出される接続配線２１の配線余裕分を配線収納フレーム２８に収容し、当該接続配線２１が撓んだり絡まったり他の部材と擦れたりするのを防止している。
【００２９】
可動体２０はガイド部３３に近づいた近傍位置（収納位置；図５参照）とガイド部３３から離れた離隔位置（動作位置；図４参照）との間を変位可能に設けられている。
図４において、可動体２０が収納位置から動作位置へ変位する際にコイルばね３２の引っ張り力に抗して接続配線２１がガイド部３３にガイドされて引き出される。
【００３０】
また、図５において、可動体２０が離隔位置から近傍位置へ変位する際にコイルばね３２と連結する接続配線２１の連結部２１ｂが引っ張られて図４に示す引き出された接続配線２１が配線収容フレーム２８内へ引き込まれてガイド部３３により移動を規制される。即ち、コイルばね３２が付勢力に応じて戻ることにより連結部２１ｂを引っ張られた接続配線２１の配線余裕分２１ａは、配線収容フレーム２８内に二つ折り状に収容され、ガイド部３３の近傍位置にある回動アーム２２の配線ガイド３１とともに、接続配線２１が所定の状態にたたまれて移動が規制される。
【００３１】
このように、可動体２０の変位にかかわらずコイルばね３２により接続配線２１を所定方向へ付勢しているので、接続配線２１が当該可動体２０と干渉するおそれはなく、狭い配線スペースを利用して可動体２０に配線することができる。
また、コイルばね３２により連結部２１ｂが常時引っ張られているため、可動体２０の変位により引き出された接続配線２１が配線収容フレーム２８内にコンパクトに収容されるので、省スペースであっても可動体２０へ配線をすることができる。
【００３２】
また、遊技領域内に設けられるセンター役物１２においては、空間部Ｓ内において遊技状態に応じて変位可能に設けられる可動体２０に給電する接続配線２１に上記配線処理構造を用いることにより、可動体２０に対する配線スペースが少なくても設置できるので、設計レイアウトの自由度が広がり、遊技者の興趣が尽きない多彩な演出を行なうことができる。
【００３３】
尚、配線収容部として配線収容フレーム２８を設けたが、これを省略してセンター役物１２の構造物（枠体等）３４に対して付勢手段とガイド部を設けてもよい。
図６（ａ）（ｂ）において、構造物３４にはコイルばね３２の上端が取り付け固定されている。コイルばね３２の下端は接続配線２１の中途位置に連結されている。また、構造物３４の可動体２０に臨む端部側にはリブ３５（ガイド部）が形成されている。このリブ３５の下端側の下方を接続配線２１が通過して回路基板２４（図２参照）と接続されるようになっている。
【００３４】
可動体２０はリブ３５に近づいた近傍位置（図６（ａ））とリブ３５から離れた離隔位置（図６（ｂ））との間を変位可能である。図６（ｂ）において、可動体２０（図２参照）が近傍位置から離隔位置へ変位する際にコイルばね３２の引っ張り力に抗して接続配線２１がリブ３５にガイドされて引き出される。
【００３５】
また、図６（ａ）において、可動体２０が、離隔位置から近傍位置へ変位する際にコイルばね３２と連結する接続配線２１の連結部２１ｂが引っ張られて引き出された接続配線２１がリブ３５により移動を規制される。即ち、コイルばね３２が戻ることにより連結部２１ｂを引っ張られた接続配線２１の配線余裕分２１ａは、構造物３４内に二つ折り状に収容される。
【００３６】
尚、上記発明実施の態様では、可動体２０が回転する場合について例示したが、回転に限らず直線状に往復動しても良く、或いは開閉するものであってもよい等様々な動作をする可動体２０について適用することができる。また、付勢手段は、コイルばね３２に限らず、ゴム材など伸縮可能な他の部材でもよく、接続配線２１を付勢する方向は上方に限られない。
また、遊技機の一例としてパチンコ遊技機について説明したが、他に例えばアレンジボール遊技機、パチスロ遊技機、雀球遊技機等の他の遊技機に設けられる可動体の配線処理構造にも適用できる。
【図面の簡単な説明】
【００３７】
【図１】遊技機の正面図である。
【図２】可動体の動作状態の部分拡大図である。
【図３】可動体の収納時と動作時の駆動部の拡大説明図である。
【図４】可動体が表示位置へ変位した状態の部分拡大図である。
【図５】可動体が収納位置へ変位した状態の部分拡大図である。
【図６】他例に係る可動体収納時と動作時の部分拡大図である。
【符号の説明】
【００３８】
Ｓ  空間部
１  遊技機
２  外枠
３  遊技盤
４  前面枠
５  ヒンジ
６  窓部
７ａ  装飾部
７ｂ  スピーカー
８  図柄表示装置
９ａ  上球受け皿
９ｂ  下球受け皿
１０  灰皿
１１  ハンドル
１２  センター役物
１３  スルーチャッカー
１４  風車
１５  電動チューリップ
１６  アタッカー
１７  レール
１８  サイドランプ
１９  アウトロ
２０  可動体
２１  接続配線
２１ａ  配線余裕分
２１ｂ  連結部
２２  回動アーム
２２ａ  ガイドピン
２３  ＬＥＤ
２４  回路基板
２５  電動モータ
２６  モータギア
２７  アームギア
２８  配線収容フレーム
２９  円弧状スリット
３０  コネクタ
３１  配線ガイド
３２  コイルばね
３３  ガイド部
３４  構造物
３５  リブ
【図１】
2009213675.tif 000003
【図２】
2009213675.tif 000004
【図３】
2009213675.tif 000005
【図４】
2009213675.tif 000006
【図５】
2009213675.tif 000007
【図６】
2009213675.tif 000008